(57)【要約】【課題】Ｗｅｂブラウザなどの情報表示手段を用いて情報表示する際、表示すべき文書等に含まれるリンクのＵＲＬに対して付加したメモ等の付加情報を容易に認識できる情報表示装置及び方法を提供する。【解決手段】本発明による情報表示装置は、Ｗｅｂブラウザのような各種情報を画面情報として表示するための情報表示手段(101)と、表示すべき情報のリンクに含まれるＵＲＬと当該ＵＲＬと関連する情報であるＵＲＬ情報とを関連付けて記憶する情報記憶手段(104)と、表示すべき情報から当該情報のリンクに含まれるＵＲＬを抽出するＵＲＬ抽出手段(102)と、抽出されたＵＲＬを用いて前記情報記憶手段を検索し、対応するＵＲＬ情報を取り出すＵＲＬ情報検索手段(103)と、表示すべき情報を、検索されたＵＲＬ情報が画面上において当該情報の表示位置と位置的に関連するように変更ないし修正する手段(105)とを具える。本発明では、ＵＲＬと当該ＵＲＬと関連するＵＲＬ情報とが表示画面上において同一画面エリア内に表示されるため、有用なインターネット情報を一層効率良く利用することができる。【選択図】 図１
2005339379.tif 000002
【特許請求の範囲】
【請求項１】
各種情報をディスプレイ上に画面情報として表示するための情報表示手段と、
表示すべき情報のＵＲＬと当該情報に関する関連情報とを関連付けて記憶する情報記憶手段と、
前記表示すべき情報から、当該情報に含まれるＵＲＬを抽出するＵＲＬ抽出手段と、
抽出されたＵＲＬを用いて前記情報記憶手段を検索し、対応する関連情報を取り出す情報検索手段と、
検索された関連情報を、表示すべき情報に対する挿入条件と共に前記情報表示手段に転送する変換出力手段とを具え、
前記情報表示手段は、前記変換出力手段から送られてきた関連情報を挿入条件にしたがって、表示すべき情報と前記検索された関連情報とを位置的に関連させてディスプレイ上に表示することを特徴とする情報表示システム。
【請求項２】
請求項１に記載の情報表示システムにおいて、前記情報表示手段は、前記表示すべき情報と関連情報とを、表示画面上の同一の表示エリァ内に表示することを特徴とする情報表示システム。
【請求項３】
請求項１又は２に記載の情報表示システムにおいて、前記情報表示手段は、検索された関連情報を強調して表示することを特徴とする情報表示システム。
【請求項４】
請求項１から３までのいずれか１項に記載の情報表示システムにおいて、前記変換出力手段は、検索結果として表示すべき情報が無用の情報である場合、前記情報表示手段に対して、当該表示すべき情報の全部又は一部を消去して表示するように指示することを特徴とする情報表示システム。
【請求項５】
請求項１から４までのいずれか１項に記載の情報表示システムにおいて、前記情報記憶部に前記関連情報をＵＲＬと共に入力する入力手段を設け、当該入力手段を介してＵＲＬと関連情報とを情報記憶手段に格納することを特徴とする情報表示システム。
【請求項６】
請求項１から５までのいずれか１項に記載の情報表示システムにおいて、前記情報表示手段をWebブラウザとしたことを特徴とする情報表示システム。
【請求項７】
請求項１から５までのいずれか１項に記載の情報表示システムにおいて、少なくとも、前記情報表示手段と、ＵＲＬ抽出手段と、情報検索手段と、変換出力手段とを単一の装置として構成し、ネットワークに接続されている端末装置に当該装置を設置したことを特徴とする情報表示システム。
【請求項８】
画面上に表示すべき情報と、当該情報に関する関連情報とを表示画面上において位置的に関連させて表示する情報表示方法において、
ディスプレイ上に表示される情報のＵＲＬと関連情報とを関連付けて記憶手段に格納する工程と、
ネットワークを介してディスプレイ上に表示すべき情報を受け取る工程と、
前記受け取った情報から、当該情報のＵＲＬを抽出する工程と、
抽出したＵＲＬを用いて前記記憶手段を検索し、対応する関連情報を得る工程と、
前記受け取った表示すべき情報と検索された関連情報とを結合してディスプレイ上に表示する工程とを具え、
前記表示すべき情報と関連情報とをディスプレイ上の同一の表示エリァに表示することを特徴とする情報表示方法。
【請求項９】
前記記憶手段を検索するに当たり、ネットワークを介して記憶手段を検索することを特徴とする請求項５に記載の情報表示方法。
【請求項１０】
画面上に表示すべき情報と、当該情報に関する関連情報とを表示画面上において位置的に関連させて表示する情報表示方法を実行するプログラムを格納した記録媒体であって、
ネットワークを介してディスプレイ上に表示すべき情報を受け取る手順と、
前記受け取った情報から、当該情報のＵＲＬを抽出する手順と、
抽出したＵＲＬを用いて、表示される情報のＵＲＬと関連情報とを関連付けて記憶した記憶手段を検索し、対応する関連情報を得る手順と、
前記受け取った表示すべき情報と検索された関連情報とをディスプレイ上において位置的に関連して表示する手順とをコンピュータに実行させるためのプログラムを記録した記録媒体。
【発明の詳細な説明】
【技術分野】
【０００１】
本発明は、インターネットのＷｅｂブラウザなどを用いて情報表示を行う際、表示すべき情報と当該情報のリンク先に関連する情報とを表示画面上において位置的に関連して表示する方法及びシステムに関するものである。
【背景技術】
【０００２】
従来、インターネットに接続されている端末装置を用い、Ｗｅｂブラウザを利用して各種のサイトやＷｅｂサーバからＷｅｂ情報をダウンロードし、パソコンの表示画面上に表示することが行われている。この際、ブックマークを利用して、ＷｅｂサイトのＵＲＬとタイトルとがブラウザに登録することが広く利用されている。ブックマークを利用する場合、利用者側においては、ダウンロードされる情報のＵＲＬにメモ等の付加的な情報を付加することを希望する場合も多く見受けられる。この際、例えばブックマーク管理ソフトで管理するブックマークのＵＲＬに対して、ブックマーク管理ソフトの機能を使用して付加的な情報をつける場合、その付加的な情報が表示される画面上の場所は、そのブックマーク管理ソフトの画面内に設定されている（非特許文献１，２参照）。
【０００３】
【非特許文献１】情報科学技術フォーラム（ＦＩＴ）2003, ２００３.9. 1−12,情報処理学会、電子情報通信学会共催 Ｄ−０２４ 森田哲之、他「３Ｄ空間表現を用いた個人データ管理システムの構築」
【非特許文献２】「ＵＲＬマネジャ」http://www.nori-s.net/soft/umn/features.htm
【発明の開示】
【発明が解決しようとする課題】
【０００４】
上述したように、インターネット上の場所を示すＵＲＬに対してコメントやメモなどの情報をつけた場合、情報が表示される場所は、Ｗｅｂブラウザで文書が表示される画面エリアとは別の場所にあったため、現在「Ｗｅｂブラウザが表示している文書」に含まれるリンクのＵＲＬに対して情報がついている場合でも、そのリンクの表示されている文書の画面とは位置的に無関係な表示のされ方であり、それらＵＲＬにどのような情報がついているかをすぐに知ることが困難であった。このため、Ｗｅｂブラウザが表示している文書にリンクが含まれる場合、それらのリンクのＵＲＬにつけられた情報を簡単に見ることができなかった。現在表示されているリンクの各ＵＲＬに情報がついているか否か、また、どのような情報がついているかを見るためには、各ＵＲＬと、保存されているブックマークのＵＲＬが一致するか否かを、人間が一つ一つブックマークについて確認し、一致していれば情報を読むという作業が必要であり、これを実行することは非常に困難であった。
【０００５】
従って、本発明の目的は、Ｗｅｂブラウザなどの情報表示手段を用い情報表示する際、表示される文書等に含まれるリンクのＵＲＬに対して付加したメモ等の付加情報を容易に認識できる情報表示システム及び方法を提供することにある。
【課題を解決するための手段】
【０００６】
本発明による情報表示システムは、各種情報をディスプレイ上に画面情報として表示するための情報表示手段と、
表示すべき情報のＵＲＬと当該情報に関する関連情報とを関連付けて記憶する情報記憶手段と、
前記表示すべき情報から、当該情報に含まれるＵＲＬを抽出するＵＲＬ抽出手段と、
抽出されたＵＲＬを用いて前記情報記憶手段を検索し、対応する関連情報を取り出す情報検索手段と、
検索された関連情報を、表示すべき情報に対する挿入条件と共に前記情報表示手段に転送する変換出力手段とを具え、
前記情報表示手段は、前記変換出力手段から送られてきた関連情報を挿入条件にしたがって、表示すべき情報と前記検索された関連情報とを位置的に関連させてディスプレイ上に表示することを特徴とする。
【０００７】
本発明による情報表示方法は、画面上に表示すべき情報と、当該情報に関する関連情報とを表示画面上において位置的に関連させて表示する情報表示方法において、
ディスプレイ上に表示される情報のＵＲＬと関連情報とを関連付けて記憶手段に格納する工程と、
ネットワークを介してディスプレイ上に表示すべき情報を受け取る工程と、
前記受け取った情報から、当該情報のＵＲＬを抽出する工程と、
抽出したＵＲＬを用いて前記記憶手段を検索し、対応する関連情報を得る工程と、
前記受け取った表示すべき情報と検索された関連情報とを結合してディスプレイ上に表示する工程とを具え、
前記表示すべき情報と関連情報とをディスプレイ上の同一の表示エリァに表示することを特徴とする。
【発明の効果】
【０００８】
本発明を用いることにより、Ｗｅｂブラウザが表示する文書に含まれるリンクのＵＲＬに対してつけられたＵＲＬ情報を、表示中の文書に挿入された形で、一覧的に、あるいは、ポップアップする等の強調した形態として見ることが可能となる。
また、例えば、無駄な情報のＵＲＬに対してその旨のＵＲＬ情報をつけておけば、そのＵＲＬのリンクを含む情報を省いた形でＷｅｂブラウザに表示することも可能となる。
また、インターネットの検索エンジンの出力に対して本発明を適用すれば、有用な、あるいは無用なインターネットの文書を見つけた際に、そのＵＲＬにあらかじめＵＲＬ情報をつけておくことにより、検索エンジンの検索結果の中で、有用な、あるいは無用な情報をすばやく判断することができる。また、無用な情報を省いて表示することも可能となる。
【発明を実施するための最良の形態】
【０００９】
＜実施形態１＞
図１は本発明による情報表示装置の第１の実施例を示す線図である。本発明による情報表示装置は、インターネットに接続されている端末装置に搭載することができる。この情報表示装置は、各種の文字又は図形情報や文書情報を画面情報として表示する手段である情報表示部１０１有する。この情報表示部１０１は、例えばＷｅｂブラウザを用いることができ、インターネットを介してＷｅｂサーバのような外部装置から取得した各種の文書情報をＨＴＭＬにしたがって表示させる機能を有し、画面表示すべき各種情報はディスプレイ（図示せず）上に表示される。さらに、情報表示部１０１は、表示されているＨＴＭＬ文書中の要素の情報を取得することができる。更に、当該情報表示部１０１は、後述する変換手段部１０５からの指示に応じて、取得したＨＴＭＬの文書に対して、ＨＴＭＬの要素を追加・変更・削除することによって、表示される文書を変更ないし修正することができる。このような文書の表示、情報取得や変更には、Document Object Model(DOM)等のソフトウェアを用いることができる。
【００１０】
情報表示部１０１にリンク抽出部１０２を接続する。このリンク抽出部１０２は、例えばインターネットを介してＷｅｂサーバから取得されたＨＴＭＬ文書から、DOMなどを用いて、当該ＨＴＭＬ文書中に存在するリンクとリンク先のＵＲＬを抽出する。例えば、HTML Documentのall属性からノードを得て、そこからtag NameがＡのノードだけを抽出することによってリンクが抽出でき、更に、そのリンクのhref属性を得ることにより、対応するＵＲＬを取得することができる。尚、リンクとは、例えばクリックされる表示部分を意味するものとする。尚、ＵＲＬを抽出する際、文書によっては、抽出したＵＲＬがそのまま真のリンク先のＵＲＬを示しておらず、真のＵＲＬは抽出したＵＲＬ中に埋め込まれている場合がある。このような文書のは、抽出したＵＲＬに対して文字列処理を施す等して真のＵＲＬを取り出し、取り出されたＵＲＬを抽出したＵＲＬの代わりに用いることができる。例えば、あるサイトの文書では、抽出したＵＲＬは、真のリンク先のＵＲＬに対してある特定のパターンの文字列が付加されたものとなる場合があることが予め既知の場合、文書からＵＲＬを抽出する際に、そのようなサイトの文書であり、さらに、特定の文字列がＵＲＬに含まれている場合は、特定の文字列を除去して真のＵＲＬを取り出し、取り出したＵＲＬを抽出したＵＲＬの代りに使用することができる。
【００１１】
抽出されたＵＲＬは情報検索部１０３に送出する。この情報検索部１０３は、リンク抽出部１０２によって抽出されたＵＲＬを得て、情報記憶部１０４に記憶されている中から、当該ＵＲＬに対応するＵＲＬ情報を検索し、取得する。
【００１２】
情報記憶部１０４では、画面情報として表示されるべき各種の情報のＵＲＬとそれに対するメモ等の情報を関連付け、例えば対の関係として記憶している。以下の説明ではこのＵＲＬに対する関連情報のことをＵＲＬ情報と称する。ＵＲＬ情報として扱える情報としては、リンク（ＵＲＬ）に対するコメント、そのＵＲＬのページを表示していた時間、そのＵＲＬがブックマークされているか否か、そのＵＲＬがブックマークされている場所、そのＵＲＬが何回見られたか、などの情報を単独で、あるいは組合せて扱うことができる。ページを表示していた時間であれば、何回かの履歴をとっておいても良い。更に、当該ＵＲＬが示す情報に関する属性、例えば、ＵＲＬが示す情報のタイトル情報、そのＵＲＬが示す情報の最終更新日や、そのＵＲＬが示す情報のサイズ、などをＵＲＬ情報として扱うこともできる。尚、情報記憶部１０４は、ローカルのメモリやハードディスクなどに設けることができ、或いはネットワーク上の先のサーバに設けることもでき、また、ＵＲＬにより特定されるサーバそのものを情報記憶部１０１として利用することもできる。尚、情報検索部１０３も、情報記憶部１０４と同様に、ローカルにあっても、ネットワークの先のサーバに設けることもできる。
【００１３】
情報検索部１０３により検索されたＵＲＬ情報は、変換出力部１０５に送出する。変換出力部１０５は、検索された関連情報を挿入条件と共に情報表示部１０１に送出する。挿入条件は、表示される情報に対する関連情報の表示位置等を指定する条件を意味する。挿入条件として、例えば、リンク抽出部１０２で抽出したリンクの表示画面上における位置の近くに、検索されたリンクのＵＲＬに対応するＵＲＬ情報を表示するように、情報表示部１０１に対して、検索されたＵＲＬ情報を含むＨＴＭＬの要素を挿入させる。そして、情報表示部１０１は、挿入されたＵＲＬ情報を含んだ形で文書の表示を行ってディスプレイ上の同一の画面エリァ内に表示する。尚、情報取得部における検索結果として、対応するＵＲＬ情報が取得できなかった場合は、ＵＲＬ情報の代わりに、ＵＲＬ情報が得られなかったということを表す情報を挿入することもできるし、何も情報を挿入しないこともできる。ＵＲＬ情報の具体的な表示方法として、リンクの前、あるいは、リンクの後ろに、ＵＲＬ情報を表示する文字列を属性表示する元の文書から変化させて、例えば、文字の色やバックグラウンドの色を回りと変えた形で挿入することにより、それが挿入されたＵＲＬ情報であることがわかりやすい形で、現在表示している文書の中に表示することができる。一例として、図２に、挿入するＨＴＭＬの例を示す。図中の「ＵＲＬ情報」という文字列の代わりに、実際のＵＲＬ情報を入れる。この例では、図３に示すように、「ＵＲＬ情報」という文字列は、文字のバックが赤、文字は白で強調表示される。このように、検索されたＵＲＬ情報を強調表示することにより、ユーザの利用性能を一層向上することができる。
【００１４】
これらの文字列の属性は表示される文書の色や背景などにあわせて変えても良い。またＵＲＬ情報を挿入する際に、ＨＴＭＬのＩＦＲＡＭＥなどのフレームを使用した形で挿入することにより、フレームの形で表示することも可能である。また、図４に一例として示すように、ｓｐａｎタグなどにｔｉｔｌｅ属性をつけたＨＴＭＬを挿入することにより、ＵＲＬ情報は普段は隠れているが、リンクの近くに挿入された文字列（図４の例の場合は「＋」の文字）のところにマウスが来たときにだけ、ＵＲＬ情報が現れるような挿入・表示の方法をとることもできる（図５参照）。
【００１５】
数値の情報を表示する場合は、数字として挿入しても良いし、グラフや図などのわかりやすい形に変換して挿入しても良い。グラフや図にする場合は、グラフや図の要素をあらかじめイメージとして持っておいて、それを組み合わせる方法や、ｊａｖａやｊａｖａｓｃｒｉｐｔなどのプログラムを使って表示する方法などがある。
【００１６】
また、変換出力部１０５の処理において、得られたＵＲＬ情報の内容によって、前記リンク抽出部１０２で抽出したリンク、または、そのリンクが含まれる文書の部分を削除するように、情報表示部１０１に対して、ＵＲＬ情報を含むＨＴＭＬの要素を変更することができる。この場合、情報表示部１０１は当該部分が削除された形で文書の表示をする、という処理を行うこともできる。例えば、ＵＲＬ情報として、例えばコメントなどの形で、ＵＲＬ自体が無効であるという情報が得られた場合や、ＵＲＬが示す情報の価値が低い、といった情報が得られた場合に、該当するリンク、または、そのリンクが含まれる文書の全体又はその一部部分を削除することによって、無駄な情報を省いて画面表示することができる。
【００１７】
＜実施形態２＞
本発明による情報表示装置の第２の実施形態を図６に示す。図６において、図１で用いた構成要素と同一の構成要素には同一符号を付して説明する。この第２の実施形態では、第１の実施形態に加えて、表示される情報のＵＲＬとＵＲＬ情報を情報記憶部１０４に入力するための入力手段である情報入力部１０６を設ける。ここで入力されたＵＲＬとＵＲＬ情報は、共に情報記憶部１０４へと送られて、情報記憶部１０４においてＵＲＬと対応するＵＲＬ情報とが互いに関連付けて記憶される。それ以降の動作は実施形態１と同様である。
【００１８】
情報入力部１０６において、ＵＲＬとＵＲＬ情報を対応付けないし入力する方法の例を以下に示す。ＵＲＬ情報はこれら単独又はこれらの組合せでも良い。
（１）ＵＲＬ情報が、そのＵＲＬへのコメントであれば、情報表示部１０１が、ある情報のＵＲＬを表示しているときに、そのＵＲＬに対するコメントをキーボードから入力しててＵＲＬ情報とすることにより、当該ＵＲＬとＵＲＬ情報と対として入力することができる。
（２）ＵＲＬ情報が、そのＵＲＬに対する評価値であれば、情報表示部１０１が、あるＵＲＬを表示しているときに、そのＵＲＬに対する評価値をキーボードから入力し、あるいは、ボタンをマウスクリックすることなどにより数値化して、それをＵＲＬ情報とすることにより、当該ＵＲＬとＵＲＬ情報を入力する。
（３）ＵＲＬ情報が、そのＵＲＬが表示されていた時間であれば、情報表示部１０１で画面を表示してから、表示が終了するまでの時間を計測し、その時間の情報をＵＲＬ情報とすることにより、当該ＵＲＬと共にＵＲＬ情報を得ることができる。
（４）ＵＲＬ情報が、そのＵＲＬで示される文書の最終更新日などの属性であれば、そのＵＲＬにアクセスして（あるいは情報表示都１０１で表示するために得た文書情報の中から）得た属性の情報をＵＲＬ情報とすることにより、当該ＵＲＬと共にＵＲＬ情報を得ることができる。
これらのように、ＵＲＬ情報は、ＵＲＬに関連付けることのできる情報であれば全ての情報を用いることができる。
【図面の簡単な説明】
【００１９】
【図１】本発明による情報表示装置の第１の実施形態を示す線図である。
【図２】挿入するＨＴＭＬの一例を示す線図である。
【図３】図２に示すＨＴＭＬの画面上の表示例を示す線図である。
【図４】挿入するＨＴＭＬの別の例を示す線図である。
【図５】画面上の表示例の変形例を示す線図である。
【図６】本発明による情報表示装置の第２の実施形態を示す線図である。
【符号の説明】
【００２０】
１０１  情報表示部
１０２  リンク抽出部
１０３  情報検索部
１０４  情報記憶部
１０５  変換出力部
１０６  情報入力部
【図１】
2005339379.tif 000003
【図２】
2005339379.tif 000004
【図３】
2005339379.tif 000005
【図４】
2005339379.tif 000006
【図５】
2005339379.tif 000007
【図６】
2005339379.tif 000008